(57)【要約】【課題】現像剤中のキャリヤや感光体の表面にトナー中のワックスが付着してフィルミング現象が発生することを防止する。【解決手段】少なくとも定着用樹脂２１とワックス２３と着色剤を含む画像形成装置用トナーにおいて、トナー粒子の固着を防止するための微粒子スペーサ２５を表面に突出した前記ワックス２３の粒子がトナー表面に露出していることを特徴とする。【選択図】図５
2009169100.tif 000002
【特許請求の範囲】
【請求項１】
少なくとも定着用樹脂とワックスと着色剤を含む画像形成装置用トナーにおいて、トナー粒子の固着を防止するための微粒子スペーサを表面に突出した前記ワックスの粒子がトナー表面に露出していることを特徴とする画像形成装置用トナー。
【請求項２】
請求項１に記載の画像形成装置用トナーにおいて、前記微粒子スペーサの平均粒径に対する前記ワックス表面からの微粒子スペーサの平均突出量の比である（平均突出量）／（平均粒径）が１／１０〜１／４の範囲にあることを特徴とする画像形成装置用トナー。
【請求項３】
少なくとも定着用樹脂とワックスと着色剤を含む画像形成装置用トナーの製造方法において、
前記ワックスを加熱して溶融する溶融工程と、
前記溶融したワックス中にトナー粒子の固着を防止するための微粒子スペーサを添加して分散する分散工程と、
前記微粒子スペーサを分散したワックスを冷却する冷却工程と、
前記微粒子スペーサを分散・保持したワックスの凝固物を粉砕して微粒子スペーサが表面に突出したワックスの粒子を得る粉砕工程を有していることを特徴とする画像形成装置用トナーの製造方法。
【請求項４】
感光体と、その感光体の表面を帯電する帯電手段と、帯電された感光体表面に静電潜像を形成する露光手段と、トナーを用いて前記静電潜像を顕像化してトナー像を形成する現像手段と、前記トナー像を記録媒体上に転写する転写手段と、転写されたトナー像を前記記録媒体上に定着する定着手段を備えた画像形成装置において、前記トナーが請求項１または２に記載のトナーであることを特徴とする画像形成装置。
【発明の詳細な説明】
【技術分野】
【０００１】
本発明は、例えばレーザープリンタなどの画像形成装置に用いるトナーに係り、特に現像剤中のキャリヤや感光体の表面にトナー中のワックスが付着してフィルミング現象が発生することを防止する技術に関するものである。
【背景技術】
【０００２】
例えばレーザープリンタなどの画像形成装置は、感光体表面に静電潜像を形成する書き込みプロセスと、その静電潜像をトナーで可視化する現像プロセスと、そのプロセスで形成されたトナー像を転写器で用紙などの記録媒体表面に移行する転写プロセスと、用紙に移行させたトナーをヒートロール等で用紙上に固着する定着プロセスと、転写後も感光体表面に残留しているトナーを感光体表面から除去する清掃プロセスなどを実行する。
【０００３】
前記定着プロセスを実行する定着装置は、トナーを用紙に熱圧着させるためにヒートロールとバックアップロールを備えている。この定着装置ではトナーへの伝熱と合わせて、トナーとの離型性が要求されるため、表面エネルギーの低いフッ素系の樹脂が多用され、さらには表面にオイルを塗布して離型性を付与させている。
【０００４】
一方、トナーにも離型性の役目をするワックス粒子がトナー表面または内部に保持されて、温度の上昇と共に浸み出してくるように工夫されている。低速機では、ワックスがトナーの主成分のレジンに包まれているシェル構造のトナーも市販されているが、毎分１００枚以上の印刷を実行する高速機では定着プロセスの時間は１０数ミリ秒と短いため、短時間でヒートロール表面に溶けたワックスを行き渡らせるためにワックスは表面に露出させている。本発明は高速機対象であるため、ワックスがトナー表面に露出しているトナーを対象としている。
【０００５】
前述のように定着プロセスではワックスは表面に露出していることが必要不可欠であるが、融点が低い、軟らかい等特性の故に他のプロセスでは弊害となり重大な問題を引き起こす。その一つが現像機内での問題である。
【０００６】
現像機内部にはトナー及びキャリヤ等の粉体を搬送するために高速で回転する現像ローラが数本設置されており、前記粉体がローラ上を搬送される時にキャリヤとトナーとの衝突が繰り返される。そのためキャリヤ表面にワックスが移行して、キャリヤフィルミング現象を引き起こし、キャリヤの寿命を短くさせてしまう。
【０００７】
他には、ワックスの付着による感光体表面へのフィルミングという問題がある。この現象も根本は前記キャリヤフィルミングと同じである。転写されなかった僅かなトナーは清掃プロセスでクリーニングされるが、トナーはブラシ又はブレードで掻きとられる。その際、感光体表面のトナーは表面に押し付けられる。押し付けられたトナー面がレジンであれば良いが、ワックスだった場合、ワックスは一部感光体へ付着してフィルミング現象を引きおこし、感光体の寿命を短縮する。
【０００８】
このような現象を避ける目的で粒径が数１０ｎｍ程度の種々の外添剤がスペーサ代わりに添加されるが、一般に多用される方式の所謂、“トナー粒子と微粒子を混合させる”外添剤方式はトナー表面全体に分散させるため、現像機内での攪拌中に前記微粒子がトナーに埋め込まれて用をなさなくなったり、トナー表面から離脱するなど、添加量の割りには効率が悪い。
【０００９】
それを避けるために、微粒子の増量、大粒径化が考えられるが、定着で紙に固着されたトナー中に微粒子が埋め込まれて、光の反射等の弊害、例えば本来の印刷色が出ない、光沢度が下がるなどの問題を生じる。この問題は特に高画質が要求される分野では弊害となるため、不必要な量の微粒子を含まないトナーが望まれている。
【特許文献１】特開平４−８６６７３号公報
【非特許文献１】高橋恭介監修；ディジタルハードコピー技術と材料、発行所シーエムシー、ｐ１４２（1999.7）
【発明の開示】
【発明が解決しようとする課題】
【００１０】
表面にワックスが露出するトナーにおいて、少量でも高効率でワックスの相手材への付着が有効に防止できるトナーの出現が望まれている。
【００１１】
本発明の目的は、前述した従来技術の欠点を解消し、現像剤中のキャリヤや感光体の表面にトナー中のワックスが付着してフィルミング現象が発生することを有効に防止できるトナーおよびその製造方法ならびに画像形成装置を提供することにある。
【課題を解決するための手段】
【００１２】
前記目的を達成するため本発明の第１の手段は、少なくとも定着用樹脂とワックスと着色剤を含む画像形成装置用トナーにおいて、トナー粒子の固着を防止するための微粒子スペーサを表面に突出した前記ワックスの粒子がトナー表面に露出していることを特徴とするものである。
【００１３】
本発明の第２の手段は前記第１の手段において、前記微粒子スペーサの平均粒径に対する前記ワックス表面からの微粒子スペーサの平均突出量の比である（平均突出量）／（平均粒径）が１／１０〜１／４の範囲にあることを特徴とするものである。
【００１４】
本発明の第３の手段は、少なくとも定着用樹脂とワックスと着色剤を含む画像形成装置用トナーの製造方法において、
前記ワックスを加熱して溶融する溶融工程と、
前記溶融したワックス中にトナー粒子の固着を防止するための微粒子スペーサを添加して分散する分散工程と、
前記微粒子スペーサを分散したワックスを冷却する冷却工程と、
前記微粒子スペーサを分散・保持したワックスの凝固物を粉砕して微粒子スペーサが表面に突出したワックスの粒子を得る粉砕工程を有していることを特徴とするものである。
【００１５】
本発明の第４の手段は、感光体と、その感光体の表面を帯電する帯電手段と、帯電された感光体表面に静電潜像を形成する露光手段と、トナーを用いて前記静電潜像を顕像化してトナー像を形成する現像手段と、前記トナー像を記録媒体上に転写する転写手段と、転写されたトナー像を前記記録媒体上に定着する定着手段を備えた画像形成装置において、前記トナーが前記第１または第２の手段のトナーであることを特徴とするものである。
【発明の効果】
【００１６】
トナーの構成要素であるワックスがトナー表面に露出していると、定着プロセスでの離型性が効率よく実行できるが、他方ではフィルミングという弊害を現像機及び清掃機内で引き起こす。本発明は前述のような構成になっており、露出するワックス表面に選択的に“スペーサ”としての役目をする微粒子を突出・保持させるため、キャリヤや感光体に対するフィルミング現象を確実に防止することができる。
【発明を実施するための最良の形態】
【００１７】
本発明は、レーザービームプリンタ、複写機等の画像形成装置に用いられるトナーの安定化において特に有効であり、外添剤となる微粒子を予めワックス中に分散・保持させることにより、微粒子をワックスに局在化できるためワックスのくっつきが少なくなり、フィルミングが抑制できる。次に本発明の実施例について図を用いて説明する。
【実施例１】
【００１８】
図1は、本発明の実施例に係るレーザープリンタの概略構成図である。同図に示すように、回転しているセレン感光体１に帯電器２で表面を７００Ｖ程度帯電させ、次いで記録すべき画像情報に基づいて露光器３からレーザー光を照射して静電潜像を形成する。そして現像機４を用いて前記静電潜像を可視化してトナー像５を形成し、搬送されてくる長尺状の用紙（記録媒体）６上に転写器７でトナー像５を転写する。転写された用紙６上のトナー像５は定着器８で熱圧着され、排出部９内で折り畳まれる。感光体１上に残留した残留トナー１０はクリーニングブラシ１１で除去されて、次の画像形成に備えられる。
【００１９】
この一連の画像形成プロセスの中で、トナーの表面は現像機４内で、キャリヤから圧力を受けまたは現像機４の壁面に押し付けられる状態が発生する。
【００２０】
このレーザープリンタの筐体１２内は密閉されているため、各部位からの放熱で時には４０℃を越える温度になる。主要な熱源は定着装置８と現像機４である。また、両面印刷において表面印刷後の裏面印刷時、1台目のプリンタの定着器を通過した高温の用紙が２台目のプリンタの転写部で感光体と接するから、その感光体の表面温度が上昇して筐体内の昇温の一因となっており、また感光体表面に余分に付着したトナーへの入熱源にもなっている。
【００２１】
図２は、前記現像機４の拡大断面図である。現像機ケーシング１３の上部に交換可能に取り付けられたトナーホッパー１４内にはトナー１５が装填され、トナーホッパー１４から現像機ケーシング１３へ補給されたトナー１５は図示しないキャリヤと混合された現像剤となり、回転している搬送ローラ１６によって複数本の現像ローラ１７側に搬送される。搬送された現像剤は図示しないドクタブレードで搬送量が制限され、薄層となって感光体１の表面に送られてトナー像の形成に関与する。
【００２２】
現像剤の搬送は、ローラ内にセットされた図示しない磁石により形成される磁界によって行われる。この際、高速で回転する磁界を現像剤の成分である磁性をもつキャリヤが通過するため渦電流が発生し、この渦電流により現像剤が発熱する。この放熱対策として図示しない冷却ファンや冷却フィン１８が現像機ケーシング１３に取り付けられるが十分な放熱ができず、現像剤へ熱が伝達されてトナーの耐用寿命を短くしている。
【００２３】
図１に示すように現像機４の近傍に温度センサ１９を取り付けて筐体１２内の温度を測定すると４０℃まで上昇することがあり、トナー１５は熱的に過酷な条件に晒されていることになる。トナー１５のスティッキング（固着）を防止するためには、互いに接近するトナー・ワックス間で接触を避けるようにスペーサの作用をする物質をワックスまたはトナー表面に付与する必要があるが、ワックス表面に付与する方が効率が良いと考えられる。
【００２４】
スペーサの作用をする微粒子シリカとトナーの概要について、図３〜５を用いて説明する。  
図３は、従来のシリカを内、表面に添加したトナーの概念図である。定着用樹脂を主成分とするトナー本体２１には、カーボンブラック顔料からなる色剤粒子２２が５ｍａｓｓ％、カルナウバワックスからなるワックス２３が４ｍａｓｓ％、ニグロシンからなる帯電制御剤２４が１．４ｍａｓｓ％それぞれ添加、分散されている。前記ワックス２３の1個の大きさは径が概略５００ｎｍである。
【００２５】
またシリカからなる微粒子スペーサ２５は対トナー質量比で５ｍａｓｓ％添加しており、これらは図に示すようにトナー本体２１の表面近傍ならびに内部に全体的に分散している。この微粒子スペーサ２５は、アトマイズ法や粉砕法−篩い分け法などで作製され、粒径は１０〜２００ｎｍ程度である。
【００２６】
図３に示すように、隣接するトナー２６と接触しているワックス２３もあり、隣接するトナー表面へのワックスの転写が生じる危険性（即ちフィルミング、スティッキング）を含んでいる。
【００２７】
これに対して図４は本発明の実施例に係るワックスの拡大概念図、図５はそのワックスを使用したトナーの概念図である。
【００２８】
本発明に係るトナーは図５に示すようにトナー本体２１に、カーボンブラック顔料からなる色剤粒子２２が５ｍａｓｓ％、カルナウバワックスからなるワックス２３が４ｍａｓｓ％、ニグロシンからなる帯電制御剤２４が１．４ｍａｓｓ％それぞれ添加、分散されている。
【００２９】
前記ワックス２３は図４に示すように、その表面近傍ならびに内部にシリカからなる微粒子スペーサ２５を含んでおり、ワックス２３の表面近傍に存在する微粒子スペーサ２５はワックス２３の表面から突出して表面が全体的に凹凸になっている。微粒子スペーサ２５はアトマイズ法や粉砕法−篩い分け法などで作製され、粒径は１０〜２００ｎｍ程度であり、５０ｎｍ以下が好ましく、本実施例では５０ｎｍのものを使用している。
【００３０】
微粒子スペーサ２５が表面に突出したワックス２３は図５に示すように、トナー本体２１の内部ならびに表面近傍に分散しており、表面近傍に存在するワックス２３は微粒子スペーサ２５により隣接するトナー表面へのワックスの転写が防止できる。
【００３１】
本実施例では定着性に優れている樹脂として、下記の分子構造式を有するポリエステル樹脂を使用した。
【化１】
2009169100.tif 000003
【００３２】
後述の実施例でもカルナウバワックスを用いた例を示すが、本発明の趣旨はワックスの表面から突出してスペーサの機能を果たす微粒子に関するもので、後述のワックスのいずれを選択しても本発明の趣旨は達成される。
【００３３】
本実施例の他にワックス、微粒子スペーサ、トナーベースレジン（定着用樹脂）、着色剤、正負帯電制御剤としては以下に挙げるものがあり、適宜目的に沿って自由に選択可能である。
【００３４】
代表的な離型剤ワックスとして、低分子量ポリプロピレン、ポリエチレン等の合成ワックス、ライスワックス、モンタンワックス、蜜蝋等の天然ワックスがあり、更にフィッシャートロピッシュワックス、パラフィンワックスなどが使用できる。
【００３５】
スペーサとして用いる微粒子として、アルミナ、チタニア、酸化セリウム、チタン酸ストロンチウム等の無機微粒子、フッ化ビニルデン、ポリテトラフルオロエチレン等のフッ素系樹脂微粒子、乳化重合性アクリル、スチレンアクリル樹脂微粒子等がある。必要に応じて表面を疎水化処理することもできる。処理剤としては、ジクロロジメチルシラン、ヘキサメチルジシラン、シリコーンオイル、アミノ基含有シランカップリング剤、アミノ変成シリコーンオイルがある。
【００３６】
トナーのベースレジンとしては、例えばポリエステル、ポリスチレン、ポリ―ｐ―クロルスチレン、ポリビニルトルエン、スチレン―ｐ―クロルスチレン共重合体、スチレン―ビニルトルエン共重合体、スチレン―ビニルナフタリン共重合体、スチレン―アクリル酸エステル共重合体、スチレン―メタクリル酸エステル共重合体、スチレン―α―クロルメタクリル酸メチル共重合体、スチレン―アクリロニトリル共重合体、スチレン―ビニルメチルエーテル共重合体、スチレン―ビニルエチルエーテル共重合体、スチレン―ビニルメチルケトン共重合体、スチレン―ブタジエン共重合体、スチレン―イソプレン共重合体、スチレン―アクリロニトリル―インデン共重合体、ポリ塩化ビニール、フェノール樹脂、天然変性フェノール樹脂、天然樹脂変性マレイン酸樹脂、アクリル樹脂、メタクリル樹脂、ポリ酢酸ビニール、シリコーン樹脂、ポリウレタン樹脂、ポリアミド樹脂、フラン樹脂、エポキシ樹脂、キシレン樹脂、ポリビニールブチラール樹脂、テルペン樹脂、クロマン―インデン樹脂などが用いられる。
【００３７】
着色剤としては、任意の顔料または染料が挙げられる。顔料としては、例えばアニリンブラック、アセチレンブラック、ナフトールイエロー、ハンザイエロー、ローダミンレーキ、アリザリンレーキ、ベンガラ、フタロシアニンブルー、インダンスレンブルーなどが用いられる。また染料としては、例えばアゾ系染料、アントラキノン系染料、キサンテン系染料、メチン系染料などが用いられる。
【００３８】
正帯電制御剤としては、例えばニグロシン及び脂肪酸金属塩などによる変性物；トリブ
チルベンジルアンモニウム―１―ヒドロキシ―４―ナフトスルフォン酸、テトラブチルア
ンモニウムテトラフルオロボレートのごとき四級アンモニウム塩、及びこれらの類似体で
あるホスホニウム塩等のオニウム塩、及びこれらのレーキ顔料、トリフェニルメタン染料
及びこれらのレーキ顔料、高級脂肪酸の金属塩；ジブチルスズオキサイド、ジオクチルス
ズオキサイド、ジシクロヘキシルスズオキサイドなどのジオルガノスズオキサイド；ジブ
チルスズボレート、ジオクチルスズボレート、ジシクロヘキシルスズボレートの如きジオ
ルガノスズボレート類などが用いられる。
【００３９】
感光体をセレンから負帯電感光体（例えば有機感光体）に置き換えた場合には、負帯電抑制剤としては、有機金属錯体、キレート化合物が有効であり、例えばモノアゾ金属錯体、アセチルアセトン金属錯体、芳香族ハイドロキシカルボン酸、芳香族ダイカルボン酸系の金属錯体などがある。他には例えば芳香族ハイドロキシカルボン酸、芳香族モノ及びポリカルボン酸及びその金属塩、無水物、エステル類、ビスフェノールの如きフェノール誘導体類がある。
【実施例２】
【００４０】
カルナウバワックスをそれの融点以上の１００℃に加熱して溶融し、それにシリカ微粒子を所定量（本実施例では対ワックス比１重量％）添加し、攪拌して均一に分散させた後、急冷し固化した。シリカの平均粒径（粒度分布累積度数５０％で定義したメディアン直径）は１０ｎｍで、シリカどうしの凝集を防止するために分散剤を添加した。
【００４１】
冷却して凝固したシリカ分散ワックスを粉砕機で１〜２μｍの大きさに微粉化させた。破砕したワックスは図４に示すように、シリカからなる微粒子スペーサ２５はワックス２３の内部に均一に分散するとともに破砕面にも多数析出（突出）している。破砕面に析出（突出）する理由は、以下の通りである。
【００４２】
即ち、固化したシリカ分散ワックスを破砕する時に引張或いは圧縮応力がかかり、その応力はシリカとワックスの界面に集中して、ワックスがシリカの表面を通過するように破断するため、ワックスの破砕面に多数のシリカ粒子が析出（突出）する。
【００４３】
本実施例では上記のようにして作製したシリカ分散ワックスをベースレジンが９０ｍａｓｓ％、着色剤が４ｍａｓｓ％、帯電制御剤が２ｍａｓｓ％、ワックスが４ｍａｓｓ％になるように秤量して溶融−混錬−破砕−分級工程を経て、平均粒径６μｍのトナーを１kg作製した。完成したトナー中のワックスの平均粒径は約５００ｎｍである。
【００４４】
作製したトナーは図５に示すように、表面に微粒子スペーサ２５を突出したワックス２３がトナー本体２２内に分散しており、ワックス２３の一部はトナー本体２２の表面に突出している。
【００４５】
本発明の有効性を確認するため、平均粒径が５ｎｍ、１０ｎｍ、３０ｎｍ、５０ｎｍ、１００ｎｍの５種類のシリカ微粒子を用いて、前述の手順でそれぞれトナーを１ｋｇ作製し、ワックス表面からのシリカの突出量を測定した。突出量はｎｍオーダーの微小量のため、走査型プローブ顕微鏡（SPM；Scanning  Probe  Microscope）で測定し、シリカの平均粒径と平均突出量との関係を表1に示した。
【表１】
2009169100.tif 000004
【００４６】
この表に示すようにシリカの平均粒径が５ｎｍのトナーＡでは平均突出量は０．５ｎｍ、平均粒径が１０ｎｍのトナーＢでは平均突出量は２ｎｍ、平均粒径が３０ｎｍのトナーＣでは平均突出量は５ｎｍ、平均粒径が５０ｎｍのトナーＤでは平均突出量は１０ｎｍ、平均粒径が１００ｎｍのトナーＥでは平均突出量は２５ｎｍであった。各トナーのシリカ平均粒径に対する平均突出量の比、すなわち（平均突出量）／（シリカ平均粒径）を求めるとトナーＡは１／１０、トナーＢは１／５、トナーＣは１／６、トナーＤは１／５、トナーＥは１／４であり、比率は１／１０〜１／４の範囲にあってワックスはその表面に微粒子スペーサを安定に保持している。
【００４７】
このようにシリカ粒子が表面から所定量突出したワックスをトナーに用いると、トナーどうしが接触しても、両者の間には微粒子スペーサが存在することになる。
【００４８】
この表面形状を持つトナーのワックスは使用時（保存時、現像時）にも他のトナーの表面とは微粒子スペーサを介して接触し、直接ワックスが接触することがないので、他のトナー表面へのワックスの移行（転写）が生じないため、フィルミングやスティッキングなどの不都合な現象が起こらない。
【００４９】
微粒子スペーサの平均粒径は、トナーへの埋め込み深さを加味した寸法設定とすると、微粒子スペーサの効果がさらに確実に発揮できる。
【００５０】
すなわちワックスの表面から突出した微粒子スペーサは、現像機内での攪拌によりキャリヤ、現像機ケーシングの壁面など硬い材料と衝突して押圧力を受ける。そのため微粒子スペーサはワックス内部に押し込まれ、ワックスを変形させる。変形したワックスは一部弾性変形し、他は塑性変形する。従って、少なくともトナーへの埋め込み深さを塑性変形量と等価として、その埋め込み深さを加味した寸法分だけ微粒子スペーサの平均粒径を大きくすると、フィルミング対策としてより効果が発揮できる。
【００５１】
塑性変形量を求めるには実際にワックスに付加される荷重の値が明らかにされないといけないが、１ｇｆの荷重が作用した場合は以下のようにして埋め込み量を算出できる。押圧荷重による材料の機械的評価法として材料の硬さを計るインデンテーション法がある。本実施例では島津製作所製微小圧縮試験機（ＭＣＴ５００）を用いて、試料にカルナウバワックス（溶融凝固させ平板）の押し込み特性を測定し、その結果を図６に示した。インデンタとして直径１００μｍのダイヤモンド圧子を用い、試験は室温（２５℃）で行った。
【００５２】
同図の縦軸にはインデンタ（ダイヤモンド圧子）に対する荷重をとり、横軸には最大深さに対する押し込み深さの比（押し込み深さ）／（最大深さ）をとっている。図中の曲線ａは荷重を徐々に増やした場合の試料（カルナウバワックス）へのインデンタ（ダイヤモンド圧子）の侵入深さ（押し込み深さ）の変化を表し、最大荷重は１ｇｆである。この負荷曲線ａは弾性変形量と塑性変形量の和からなる。曲線ｂは最大荷重１ｇｆから荷重を徐々に減らしたき（除荷）の変化を示す曲線で、荷重が０ｇｆになるまでが弾性変形量となる。この２本の曲線ａ、ｂから弾性変形量（６１％）と、塑性変形量（１００−６１＝３９％）が求まる。
【００５３】
前記実施例はこの試験の試料と同じ溶融凝固したカルナウバワックスを使用しており、その塑性変形量、すなわち埋め込み量は３９％であるから、その埋め込み深さを加味した寸法分だけ微粒子スペーサの平均粒径を大きくすると（前記実施例では３９％程度大きくすると）、より確実な効果が発揮できる。このようにワックスの適切な塑性変形量（埋め込み量）は現像機内でワックスが受ける押圧力の大きさに依存するので、どのような現像機を設計するかによって変わるが、押圧力の大きさが見積もれれば、適切な塑性変形量（埋め込み量）が算出できる。
【００５４】
本発明者の諸種の実験結果より、平均粒子径が５００〜１０００ｎｍのワックスに対して平均粒子径が１０〜５０ｎｍの微粒子スペーサを使用すれば、微粒子スペーサがワックス内部に押し込まれることなく、常にワックス表面から突出してスペーサ機能を確実に発揮することが判明した。
【実施例３】
【００５５】
本実施例は、前記実施例で作製したトナーの効果を図１に示す高速レーザープリンタの実稼動状態で評価した。実際印刷している状態で測定した現像機内の最高温度は４５℃である。この状態は通常の印刷環境より過酷で、トナーのテストとしては加速試験になる。
【００５６】
図３に示す従来のトナーを用いてテストすると、約２０万ページ印刷するとトナーフィルミングが発生した。キャリヤにフィルミングが生じるとトナーの帯電量が低下し、トナーの飛び散りによる現象（印刷）不良が発生する。不具合が生じた時点でキャリヤの表面を観察してみると、キャリヤフィルミングが確認できた。
【００５７】
一方、前記実施例２で作製したトナーＡ〜Ｅの５種のトナーすべてで実験したところ、印字を繰り返して定期的な現像剤交換時期まで不都合は生じなかった。また、感光体へのトナーフィルミングを検証した。感光体表面をタイムオブフライト型質量分析（TOF-SIMS）法で分析し、脂肪族分子（ＣｍＨ２ｍ−１Ｏ２＋）の存在の有無から、カルナウバワックスの付着状況を観察した。１０万ページごとに１００万ページまで観察した。その結果、前記５種のトナーの何れも、初期値と同様に感光体表面へのカルナウバワックスの付着は観察されなかった。また、印刷品質の面から背景かぶり状況を測定したが、印字品質の劣化も生じていない。
【実施例４】
【００５８】
本実施例は、本トナーの定着工程での課題について検討した。定着工程ではトナーの溶融（高温）粘度が重要で、高粘度では用紙への定着度が劣り、所謂コールドオフセットとなり、低粘度では定着ロール表面へ接着してしまうホットオフセットが生じる。本トナーはバルクのガラス転移温度を６０℃である。本発明では離型機能を果たすワックスに微粒子が多く添加されているため、定着時にワックスがトナー表面に十分拡散してくるかが懸念される。
【００５９】
そこで定着ロールの表面温度を１７０℃、１９０℃、２１０℃、２２０℃、２３０℃の５水準で実験した。前記５種のトナーを用いて実験したが、全てのトナーでコールドオフセットならびにホットオフセットが共に発生しなかった。代表例として、平均粒径が１０ｎｍのシリカ微粒子を分散させたワックスを用いたトナーの試験結果を次の表２に示す。表中○印は、ホットオフセットが発生していないと評価したものを示している。この表からわかるように、２３０℃までホットオフセットは発生せず、良好な定着性が得られることが立証された。
【表２】
2009169100.tif 000005
【図面の簡単な説明】
【００６０】
【図１】本発明の実施例に係るレーザープリンタの概略構成図である。
【図２】そのレーザープリンタの現像機の拡大断面図である。
【図３】従来のシリカ微粒子を内、表面に添加したトナーの概念図である。
【図４】本発明の実施例に係るワックスの拡大概念図である。
【図５】そのワックスを使用したトナーの概念図である。
【図６】インデンテーション法によるカルナウバワックスの負荷−除荷曲線を表した特性図である。
【符号の説明】
【００６１】
１：感光体、２：帯電器、３：露光器、４：現像機、５：トナー像、６：用紙、７：転写器、８：定着器、９：排出部、１０：残留トナー、１１：クリーニングブラシ、１２：筐体、１３：現像機ケーシング、１４：トナーホッパー、１５：トナー、１６：搬送ローラ、１７：現像ローラ、１８：冷却フィン、１９：温度センサ、２１：トナー本体、２２：色剤粒子、２３：ワックス、２４：帯電制御剤、２５：微粒子スペーサ、２６：隣接するトナー。
【図１】
2009169100.tif 000006
【図２】
2009169100.tif 000007
【図３】
2009169100.tif 000008
【図４】
2009169100.tif 000009
【図５】
2009169100.tif 000010
【図６】
2009169100.tif 000011